(57)【特許請求の範囲】
【請求項１】
開口した筒状の首部と、
前記首部の基端から略水平に延びる肩部と、
前記肩部の下方に設けられた胴部と、
前記胴部の下方に設けられた底部とを有し、
前記胴部を外部より前後に圧縮することにより内容物を吐出するスクイズ容器であって、前記胴部の平面視の形状は、左右方向に先細り形状をなす多角形又は長円形であり、
前記胴部は、前後に圧縮操作することにより前記多角形又は長円が左右方向に扁平化するように対向して配置された前後一対の押圧部と、
それらを連結する左右一対の先細り部とを有しており、
前記胴部の各押圧部と前記肩部との間に、胴部の中心軸方向に凹み、略水平に延びる上方屈曲線を溝底とする前後一対のＶ字溝が互いに対向するように形成されている、
スクイズ容器。
【請求項２】
前記肩部が、前記前後一対の押圧部と対向する前後一対の主肩縁と、それらの両端を連結する左右一対の側肩縁とを有しており、
前記肩部の主肩縁と胴部の押圧部との間には、前記Ｖ字溝が前後一対に設けられており、前記肩部の側肩縁と胴部の先細り部との間には、下方外側に向かって先細った形状の傾斜部が左右一対に設けられており、
前記傾斜部は、前記側肩縁から先細り部の端部に向かって先細った形状を呈しており、
前記上方屈曲線が、前記傾斜部の先細った頂点又はその下近辺に延びている、
請求項１記載のスクイズ容器。
【請求項３】
前記底部が略水平に延びており、
前記胴部の各押圧部と前記底部との間に、胴部の中心軸方向に凹み、略水平に延びる下方屈曲線を溝底とする前後一対の第２Ｖ字溝が互いに対向するように形成されている、
請求項１又は２記載のスクイズ容器。
【請求項４】
前記底部が、前記前後一対の押圧部と対向する前後一対の主底縁と、それらの両端を連結する左右一対の側底縁とを有しており、
前記底部の主底縁と胴部の押圧部との間には、前記第２Ｖ字溝が前後一対に設けられており、
前記底部の側底縁と胴部の先細り部との間には、上方外側に向かって先細った形状の第２傾斜部が左右一対に設けられており、
前記第２傾斜部は、前記側底縁から先細り部の端部に向かって先細った形状を呈しており、
前記下方屈曲線が、前記第２傾斜部の先細った頂点又はその上近辺に延びている、
請求項３記載のスクイズ容器。
【請求項５】
前記底部に下方に延びる脚部が設けられている、
請求項１から４のいずれかに記載のスクイズ容器。
【請求項６】
前記首部に液滴ノズルが設けられている、
請求項１から５のいずれかに記載のスクイズ容器。
【請求項７】
前記胴部を圧縮操作した後、復元しないように構成されている、
請求項１から６のいずれかに記載のスクイズ容器。
【請求項８】
前記首部に、内部から外部への流れを許し、外部から内部への流れを遮断する逆支弁が設
けられている、
請求項７記載のスクイズ容器。
【請求項９】
塑性変形する材料から形成されている、
請求項７記載のスクイズ容器。
【請求項１０】
前記首部が、筒状の首部本体と、その下方の縮径したくびれ部とからなる、
請求項１から９のいずれかに記載のスクイズ容器。
【請求項１１】
内部空間に薬剤が満注量の１５〜８５％充填されている、
請求項１から１０のいずれかに記載のスクイズ容器。
【発明の詳細な説明】
【技術分野】
【０００１】
この発明は、圧縮操作により内容物を吐出するスクイズ容器に関する。
【背景技術】
【０００２】
一般的なスクイズ容器は、通常、胴部を圧縮することで内容物を吐出させるが、単に胴部のみを圧縮するだけでは、最終的に、肩部と胴部との間に形成された隅角部に内容物が大量に残ってしまうといった問題が生じる。
【０００３】
隅角部の内容物を吐出させるには、肩部近辺を大きく圧縮変形させる、具体的には、肩部の内面と胴部の内面とを当接させるように折り畳んだり、肩部を押し潰したりする必要がある。しかし、肩部は肉厚に形成されていることが多く、肩部近辺を圧縮変形させるには大きな力が必要である。
【０００４】
そこで、特許文献１では、肩部近辺に予め折り目を付けておき、小さな力でも肩部近辺を圧縮変形させることができるようにしている。
【先行技術文献】
【特許文献】
【０００５】
【特許文献１】特許第３８２３２１７号公報
【発明の概要】
【発明が解決しようとする課題】
【０００６】
ただ、特許文献１のスクイズ容器（チューブ容器）は、その形状が従来のスクイズ容器とさほど変わっておらず、肩部と胴部との間の隅角部に多くの内容物が位置していることに変わりない。そのため、内容物の残留を抑制するには、必ず肩部近辺を大きく圧縮変形させなければならず、使い勝手が良いとは言えなかった。
【０００７】
また、肩部近辺を大きく変形させると、それに伴って首部まで変形することがあり、首部にノズルや逆止弁などの機能性部品を別途取り付けている場合、部品が外れてしまったり、意図しない部分から内容物が漏れ出したりするなど、種々の問題を生じる可能性があった。
【０００８】
そこで、本発明は、肩部近辺を大きく圧縮変形させなくても内容物の残留を抑制することのできるスクイズ容器の提供を目的とする。
【課題を解決するための手段】
【０００９】
本発明のスクイズ容器は、開口した筒状の首部と、前記首部の基端から略水平に延びる肩部と、前記肩部の下方に設けられた胴部と、前記胴部の下方に設けられた底部とを有し、前記胴部を外部より前後に圧縮することにより内容物を吐出するスクイズ容器であって、前記胴部の平面視の形状は、左右方向に先細り形状をなす多角形又は長円形であり、前記胴部は、前後に圧縮操作することにより前記多角形又は長円が左右方向に扁平化するように対向して配置された前後一対の押圧部と、それらを連結する左右一対の先細り部とを有しており、前記胴部の各押圧部と前記肩部との間に、胴部の中心軸方向に凹み、略水平に延びる上方屈曲線を溝底とする前後一対のＶ字溝が互いに対向するように形成されていることを特徴としている。
【００１０】
また、前記肩部が、前記前後一対の押圧部と対向する前後一対の主肩縁と、それらの両
端を連結する左右一対の側肩縁とを有しており、前記肩部の主肩縁と胴部の押圧部との間には、前記Ｖ字溝が前後一対に設けられており、前記肩部の側肩縁と胴部の先細り部との間には、下方外側に向かって先細った形状の傾斜部が左右一対に設けられており、前記傾斜部は、前記側肩縁から先細り部の端部に向かって先細った形状を呈しており、前記上方屈曲線が、前記傾斜部の先細った頂点又はその下近辺に延びていることが好ましい。
【００１１】
また、前記底部が略水平に延びており、前記胴部の各押圧部と前記底部との間に、胴部の中心軸方向に凹み、略水平に延びる下方屈曲線を溝底とする前後一対の第２Ｖ字溝が互いに対向するように形成されていることが好ましい。
【００１２】
また、前記底部が、前記前後一対の押圧部と対向する前後一対の主底縁と、それらの両端を連結する左右一対の側底縁とを有しており、前記底部の主底縁と胴部の押圧部との間には、前記第２Ｖ字溝が前後一対に設けられており、前記底部の側底縁と胴部の先細り部との間には、上方外側に向かって先細った形状の第２傾斜部が左右一対に設けられており、前記第２傾斜部は、前記側底縁から先細り部の端部に向かって先細った形状を呈しており、前記下方屈曲線が、前記第２傾斜部の先細った頂点又はその上近辺に延びていることが好ましい。
【００１３】
また、前記底部に下方に延びる脚部が設けられていることが好ましい。
【００１４】
また、前記首部に液滴ノズルが設けられていることが好ましい。
【００１５】
また、前記胴部を圧縮操作した後、復元しないように構成されていることが好ましい。具体的には、前記首部に、内部から外部への流れを許し、外部から内部への流れを遮断する逆止弁が設けられているか、または、塑性変形する材料から形成されていることが好ましい。
【００１６】
また、前記首部が、筒状の首部本体と、その下方の縮径したくびれ部とからなることが好ましい。
【００１７】
また、内部空間に薬剤が満注量の約１５〜約８５％充填されていることが好ましい。
【発明の効果】
【００１８】
本発明のスクイズ容器では、胴部の押圧部と肩部との間にＶ字溝が形成されているため、肩部と胴部とで形成された隅角部の角度が、一般的なスクイズ容器に比べて小さく、隅角部に形成される空間が小さくなっている。そのため、隅角部に位置する内容物の量を初めから少なくできる。
また、胴部を扁平化する圧縮操作に伴い、Ｖ字溝の上方屈曲線が自ずと肩部内面に向かうようにして変形するため、隅角部に生じる空間を一層小さくすることができ、内容物の残留を抑えることができる。
さらに、Ｖ字溝によって肩部と胴部の押圧部とが隔てられているため、圧縮操作の影響が肩部にまで及び難く、首部の変形を抑制することができる。
さらにまた、一対のＶ字溝によって、左右方向からの圧縮に対する剛性が確保されることから、左右方向からの圧縮による内容物の過剰吐出を抑制することができる。
【００１９】
また、上方屈曲線が、傾斜部の先細った頂点又はその下近辺に延びていれば、スクイズ容器を落とすなど、不意な外力が傾斜部に働いても、一対のＶ字溝が抵抗となって変形が抑制されるため、内容物の過剰吐出を抑制することができる。
また、押圧部の圧縮により、傾斜部が左右方向に広がるように変形するため、扁平化された胴部を肩部に引き寄せることができ、隅角部に生じる空間を一層小さくすることがで
きる。
【００２０】
また、胴部の押圧部と底部との間に第２Ｖ字溝が形成されていれば、底部側においても内容物の残留を抑えることができるし、左右方向からの圧縮による内容物の過剰吐出も抑制することができる。さらに、上下２箇所にＶ字溝が形成されるため、美観も良い。
【００２１】
また、下方屈曲線が、第２傾斜部の先細った頂点又はその上近辺に延びていれば、第２傾斜部に押し込み力が働いても、第２Ｖ字溝が抵抗となって変形が抑制されるため、内容物の過剰吐出を抑制することができる。
【００２２】
また、底部に下方に延びる脚部が設けられていれば、容器を自立させることができる。
【００２３】
また、首部に液滴ノズルが設けられていれば、内容物を１滴ずつ滴下させることができる。
【００２４】
また、胴部を圧縮操作した後、復元しないように構成されている、具体的には、逆止弁を設けていれば、細菌などの侵入を抑制することができ、スクイズ容器が塑性変形する材料から形成されていれば、変形させ易く、内容物を吐出させ易くなる。また、いずれの場合も、圧縮操作による容器の扁平化を促進できる。
【００２５】
また、首部が、首部本体とくびれ部とからなれば、首部の強度を向上させることができ、首部の変形を抑制することができる。
【００２６】
また、内部空間に薬剤を充填するにあたり、薬剤の量を満注量の約１５〜約８５％の充填に留めておき、残りを不活性ガス等の気体とすれば、容器を完全に圧縮変形させなくても内容物を全て押し出すことができる。特に、液滴ノズルを設けたスクイズ容器の場合、容器を逆さにして使用するため、好ましい。
【図面の簡単な説明】
【００２７】
【図１】本発明のスクイズ容器の一実施形態を示す、（ａ）は正面図、（ｂ）は側面図、（ｃ）は平面図、（ｄ）は底面図である。
【図２】スクイズ容器に取り付けられるキャップ、液滴ノズル、逆止弁を示す正面図である。
【図３】スクイズ容器の圧縮変形を示す、（ａ）が概略側面図、（ｂ）が概略正面図である。
【図４】本発明のスクイズ容器の他の実施形態を示す、（ａ）は正面図、（ｂ）は側面図、（ｃ）は平面図、（ｄ）は底面図である。
【図５】本発明のスクイズ容器のさらに他の実施形態を示す、（ａ）は正面図、（ｂ）は側面図、（ｃ）は平面図、（ｄ）は底面図である。
【図６】本発明のスクイズ容器の別の他の実施形態を示す、（ａ）は正面図、（ｂ）は側面図である。
【発明を実施するための形態】
【００２８】
次に本発明のスクイズ容器１の実施形態について詳細に説明する。本発明のスクイズ容器１は、図１に示すように、開口した筒状の首部１０と、首部１０の基端から略水平に延びる肩部２０と、肩部２０の下方に設けられた胴部３０と、胴部３０の下方に設けられた底部４０とを有している。
【００２９】
首部１０は、内容物を吐出するための開口１１を有するものであり、図１ａ、ｂに示すように、筒状の首部本体１２と、首部本体１２の下方に形成されたくびれ部（縮径部）１
３とからなる。首部本体１２の外周面には、開口１１を塞ぐキャップＣを取り付けるためのネジ１２ａが形成されている。この首部１０には、図２に示すように、キャップＣの他、内容物を１滴ずつ滴下させることができる液滴ノズルＮや、外気からの物質の容器内への侵入を防ぐための逆止弁Ｖなどの機能性部品が適宜取り付けられる。くびれ部１３は、首部１０の強度を向上させ、首部１０の変形を抑制するためのものである。
【００３０】
肩部２０は、首部１０のくびれ部１３の下端から延設されており、図１ｃに示すように平面視略四角形とされている。この肩部２０は、胴部３０に比べて肉厚であり、前後左右方向の剛性が確保されている。また、略四角形を構成する４辺のうち互いに平行な２辺が、後述する胴部３０の押圧部３１と対向している、すなわち、上下方向に対応して（並んで）配置されている。なお、以下、説明の簡単のため、押圧部３１と対向する２辺を主肩縁２１と、この主肩縁２１の両端同士を連結する２辺を側肩縁２２と称す。
【００３１】
胴部３０は、図１ｃ、ｄに示すように、左右方向に先細り形状をなす平面視略長円形（紡錘状）であって、全体としては上下方向に長いチューブ状をなしている。この実施形態では、正面視で下方に向かって次第に広がっており、側面視で下方に向かって狭くなっている。ただしストレートであっても良い。胴部３０は、内面同士が密着するように前後に圧縮操作することにより、平面視略長円形が左右方向に扁平化するように対向して配置された前後一対の押圧部３１、３１と、これら押圧部３１、３１を連結する左右一対の先細り部３２、３２とを有している。また、図１ａ、ｂに示すように、肩部２０と胴部３０の押圧部３１との間に、略水平方向に向かって周方向に連続する上方屈曲線５１が形成されている。この上方屈曲線５１は、胴部３０の中心軸方向に凹んでおり、上方屈曲線５１の上下に位置するパネル部５２とでＶ字溝５０を形成している。
【００３２】
パネル部５２は、図１ａ、ｂに示すように、肩部２０の主肩縁２１と上方屈曲線５１との間に形成された第１パネル部５２ａと、上方屈曲線５１と胴部３０の押圧部３１との間、すなわち第１パネル部５２ａの下方に形成された第２パネル部５２ｂと、肩部２０の側肩縁２２と上方屈曲線５１との間、すなわち第１パネル部５２ａの左右に形成された第３パネル部５２ｃと、上方屈曲線５１と胴部３０の先細り部３２との間、すなわち第３パネル部５２ｃの下方に形成された第４パネル部５２ｄとからなる。
第１パネル部５２ａは、図３ａに示すように、上下方向の長さ（肩部２０の主肩縁２１から上方屈曲線５１までの長さ）Ｌ１が、肩部２０の側肩縁２２の長さＬ２の半分よりも短く形成されている。
また、第３パネル部５２ｃは、図１ｂに示すように、側面視略三角形であって、その上方に傾斜部６０が位置している。
なお、各パネル部５２ａ、５２ｂ、５２ｃ、５２ｄの稜線部分および肩部２０の四隅コーナー部分の近傍は、角ばった形状に限らず、やや丸みを帯びた形状であっても良い。また、各パネル部５２ａ、５２ｂ、５２ｃ、５２ｄは、容器外方又は内方に滑らかに湾曲していても良い。ただし、上方屈曲線５１と接する箇所においては、一対のＶ字溝５０、５０による左右方向の剛性を確保する観点から、湾曲していないことが好ましい。
【００３３】
傾斜部６０は、上記の通り、肩部２０の側肩縁２２と、側面視左右一対に設けられた第３パネル部５２ｃのそれぞれの上辺とを繋ぐものであって、図１ｂに示すように、下方外側に向かって先細った形状、具体的には略三角形とされている。この傾斜部６０は、側肩縁２２から先細り部３２の端部に向かって先細っている。そして、この先細った頂点６０ａに上方屈曲線５１が延びている（繋がっている）。なお、頂点６０ａは、上方屈曲線５１の近辺に位置していれば、必ずしも上方屈曲線５１と繋がっている必要は無い。また、傾斜部６０の中央部には折れ線６０ｂが上下方向に設けられているが、この折れ線もやや丸みを帯びたものであっても良い。また、傾斜部６０が折れ線６０ｂを備えることなく、容器外方又は内方に向かって滑らかに湾曲していても良いし、さらに平坦であっても良い
。
【００３４】
底部４０は、図１ｄに示すように一文字形状とされている。これは、チューブ状の胴部３０の下端をピンチオフすることで形成されたものである。
【００３５】
上記構成のスクイズ容器１は、例えば可撓性を有するポリエチレン樹脂をブロー成形することで製造される。また、容器成形後、容器内部には、内容物として例えば目薬などの液状の薬剤が充填される。内容物の充填量は、満注量の約１５〜約８５％（通常、満注量約７〜約１２ｍＬの容器に対して、約２〜約６ｍＬ）である。なお、約１５％よりも小さくするとスクイズ容器を逆さにして使用する際に内容物を吐出し辛くなり、約８５％より大きくすると薬液が残留し易くなるため、好ましくない。容器内部の内容物以外の空間には、内容物の変質を防ぐため、不活性ガスを充填してもよい。内容物を充填した後は、首部１０に対して、内容物を１滴ずつ吐出するための液滴ノズルＮや、外気からの物質の容器内への侵入を防ぐための逆止弁Ｖ、ノズルＮを保護するためのキャップＣなどが適宜取り付けられる。
【００３６】
スクイズ容器１から内容物を吐出させるにあたっては、胴部３０の押圧部３１を前後に圧縮することで行う。首部１０に逆止弁Ｖが取り付けられている場合、内容物の吐出に従い、胴部３０の押圧部３１は前後方向に大きく凹むようにして変形していくが、Ｖ字溝５０によって肩部２０と胴部３０の押圧部３１とが隔てられているため、胴部３０を圧縮操作したことによる影響が肩部２０にまで及び難く、圧縮操作による首部１０の変形は抑制される。そのため、液滴ノズルＮが外れてしまったり、逆止弁Ｖが機能しなくなったりといった不具合の発生を抑えることができる。
【００３７】
また、圧縮により押圧部３１、３１同士を互いに近接させていくと、それに伴って、上方屈曲線５１、５１同士も互いに近接する方向に移動するが、第１パネル部５２ａの上方が肩部２０の主肩縁２１に繋がっているため、上方屈曲線５１は主肩縁２１を回転中心として肩部２０に向かうように移動することとなる。そのため、図３ａに示すように、肩部２０と第１パネル部５２ａとの間の隅角部に生じる空間が小さくなり（隅角部の角度が小さくなり）、隅角部に位置する内容物の残留が自ずと抑えられる。
なお、この効果は、上方屈曲線５１が周方向に連続していること、傾斜部６０の頂点６０ａと上方屈曲線５１とが交差あるいは近接していることでさらに顕著なものとなっている。すなわち、図３ｂに示すように、押圧部３１を前後方向に圧縮すると上方屈曲線５１は左右方向に拡がり、これに伴って傾斜部６０の頂点６０ａが左右方向に拡がるようにして移動するが、傾斜部６０の、上方屈曲線５１から側肩縁２２までの長さＬ３は常に一定であるため、左右方向に拡がった分、胴部３０全体が肩部２０に近づいていく（扁平化された胴部３０が肩部２０に引き寄せられる）ことになる。そのため、傾斜部６０と第３パネル部５２ｃとの間に生じる空間が小さくなり、さらには第１パネル部５２ａと肩部２０との間の空間も一層小さくなって、内容物の残留が自ずと抑えられるのである。
【００３８】
ところで、スクイズ容器１を落としたり、圧縮操作をミスしたりすることで、傾斜部６０や胴部３０の先細り部３２を左右方向から圧縮してしまうことがあるが、この場合には、上記現象とは反対に、傾斜部６０の頂点６０ａが胴部３０の中心軸方向に移動し、胴部３０全体が肩部２０から離れることになる。また、これと同時に、Ｖ字溝５０が溝深さを浅くするようにして変形し、肩部２０と第１パネル部５２ａとの間の隅角部に生じた空間が大きくなる（隅角部の角度が増す）。そのため、圧縮しているにもかかわらず、内容物の過剰吐出は抑制される。なお、傾斜部６０の頂点６０ａを内側にめり込ませるほどに変形させれば内容物にも大きな圧力が加わることになるが、一対のＶ字溝５０、５０によって左右方向の剛性が確保されているため、その心配も少ない。
【００３９】
なお、本発明のスクイズ容器１は、Ｖ字溝５０によって、肩部２０と胴部３０との間の空間が初めから小さくなっており、肩部２０近辺に位置する内容物の量が一般的なスクイズ容器に比べて少ない。従って、ある程度の内容物の残留を許容するのであれば、必ずしも肩部２０近辺を大きく変形させる必要が無い。
また、本実施形態の場合、不活性ガスを充填しているため、容器を完全に圧縮しなくても、内容物が常に首部１０に位置するように逆さの状態（首部１０を下方に向けた状態）で使用すれば、内容物を全て吐出させることは可能である。
【００４０】
図４は、図１に示すスクイズ容器１の変形例であるスクイズ容器１ａを示している。図１のスクイズ容器１と異なる点は、胴部３０の押圧部３１に平面部３１ａを備えている点である。平面部３１ａは、平面視、長円形とされた胴部３０の短軸方向の頂部を、長軸方向と略平行となるように平らにすることで形成されている。そのため、胴部３０の平面形状は、図４ｃ、ｄに示すように、長円の短軸方向の頂部を切り欠いた形状（扁平な長円形又は俵型、小判型）となっている。また、平面部３１ａは、図４ａに示すように、その上部が第２パネル５２ｂ側に張り出すようにして設けられているため、第２パネル５２ｂの下端部の稜線部分が、図１と僅かに異なっている。その他の構成は、図１とほぼ同じであるため、同符号を付し、詳細な説明は省略する。
このように平面部３１ａを設ければ、指を添え易くなるため、容器を保持し易くなる。また容器を圧縮し易くなり（押し潰し易くなり）、容器が均等に潰れ易くなる。このスクイズ容器１ａでは、容器内圧を減圧状態にして内容物を充填してもよい。そのことにより、逆止弁Ｖの逆止め機能を助けることができる。なお、容器内を減圧すると、容器が不規則に凹んでしまい見栄えを損なうことがあるが、このスクイズ容器１ａでは、主に平面部３１ａが内側にたわむように変形するため、他の部分の変形を抑制することができ、容器内の負圧化による容器の凹み変形が目立たない。
【００４１】
図５は、本発明の異なる実施形態のスクイズ容器２を示している。このスクイズ容器２は、胴部３０の平面視の形状が、図５ｃに示すように、左右方向に先細り形状をなす六角形とされている。また、図５ａ、ｂに示すように、底部４０が略水平に延びており、底部４０と肩部２０の平面視の形状が略同一で、胴部３０はストレートに形成されている。また、底部４０と胴部３０の押圧部３１との間にもＶ字溝（第２Ｖ字溝）７０が形成されている。このような点で、先の実施形態と大きく相違している。そのため、特にこの相違点について説明する。
【００４２】
底部４０は、図５ｄに示すように平面視略四角形とされている。また、略四角形を構成する４辺のうち互いに平行な２辺が、胴部３０の押圧部３１と対向している。なお、以下、説明の簡単のため、押圧部３１と対向する２辺を主底縁４１と、この主底縁４１の両端同士を連結する２辺を側底縁４２と称す。
【００４３】
胴部３０と底部４０との間には、上述の通り、第２Ｖ字溝７０が形成されている。この第２Ｖ字溝７０は、図５ａ、ｂに示すように、胴部３０の中心軸方向に凹み、略水平方向に向かって周方向に連続する下方屈曲線７１を溝底とし、この下方屈曲線７１の上下に位置するパネル部７２によって形成されている。
【００４４】
パネル部７２は、図５ａ、ｂに示すように、底部４０の主底縁４１と下方屈曲線７１との間に形成された第５パネル部７２ａと、下方屈曲線７１と胴部３０の押圧部３１との間、すなわち第５パネル部７２ａの上方に形成された第６パネル部７２ｂと、底部４０の側底縁４２と下方屈曲線７１との間、すなわち第５パネル部７２ａの左右に形成された第７パネル部７２ｃと、下方屈曲線７１と胴部３０の先細り部３２との間、すなわち第７パネル部７２ｃの上方に形成された第８パネル部７２ｄとからなる。
第５パネル部７２ａは、上下方向の長さ（底部４０の主底縁４１から下方屈曲線７１ま
での長さ）Ｌ４が、底部４０の側底縁４２の長さＬ５の半分よりも短く形成されている。
また、第７パネル部７２ｃは側面視略三角形であって、その下方に第２傾斜部８０が位置している。
なお、各パネル部７２ａ、７２ｂ、７２ｃ、７２ｄの稜線部分および底部４０の四隅コーナー部分の近傍は、角ばった形状に限らず、やや丸みを帯びた形状であっても良い。
【００４５】
第２傾斜部８０は、上記の通り、底部４０の側底縁４２と、側面視左右一対に設けられた第７パネル部７２ｃのそれぞれの下辺とを繋ぐものであって、上方外側に向かって先細った形状、具体的には略三角形とされている。この第２傾斜部８０は、側底縁４２から先細り部３２の端部に向かって先細っている。そして、この先細った頂点８０ａに下方屈曲線７１が延びている（繋がっている）。
なお、他の構成については、先の実施形態と略同様であるため、同符号を付し、説明を省略する。
【００４６】
このように、胴部３０と底部４０との間にもＶ字溝を形成すれば、底部４０側においても内容物の残留を抑制することができる。また、上下にＶ字溝が形成されることになって美観も良い。また、図６ａ、ｂに示すスクイズ容器２ａのように、底部４０が略水平、すなわち略平坦であれば、底部４０に下方に延びる脚部４３を設けることもできる。この場合、容器を自立させることができる。
【００４７】
以上に、この発明の代表的な実施形態について説明したが、この発明は上記実施形態に限定されるものではなく、この発明の範囲内で種々変更して実施することが可能である。例えば、図５、図６に示すスクイズ容器２、２ａでは、上下にそれぞれＶ字溝５０、７０を設けていたが、底部４０側のＶ字溝７０を設けなくても良く、さらに底部を扁平（先細り状）とするようにした形状を採用しても良い。また、スクイズ容器１、１ａ、２、２ａの材質としては、ポリエチレン樹脂に限らず種々の可撓性を有する合成樹脂を用いることができるし、合成樹脂に限らず、塑性変形する材料、具体的には金属板や、金属箔と樹脂とのラミネート材を用いることもできる。塑性変形する材質を用いれば、逆止弁Ｖを設けなくても容器内への外気からの物質の流入を抑制することができる。また、胴部３０の平面形状は、長円形や六角形に限られること無く、四角形や八角形などの多角形としても良い。
【符号の説明】
【００４８】
１、１ａ、２、２ａ・・スクイズ容器
１０・・首部
１１・・開口
１２・・首部本体
１２ａ・・ネジ
１３・・くびれ部
２０・・肩部
２１・・主肩縁
２２・・側肩縁
３０・・胴部
３１・・押圧部
３１ａ・・平面部
３２・・先細り部
４０・・底部
４１・・主底縁
４２・・側底縁
４３・・脚部
５０・・Ｖ字溝
５１・・上方屈曲線
５２・・パネル部
５２ａ・・第１パネル部
５２ｂ・・第２パネル部
５２ｃ・・第３パネル部
５２ｄ・・第４パネル部
６０・・傾斜部
６０ａ・・傾斜部の頂点
６０ｂ・・折れ線
７０・・第２Ｖ字溝
７１・・下方屈曲線
７２・・パネル部
７２ａ・・第５パネル部
７２ｂ・・第６パネル部
７２ｃ・・第７パネル部
７２ｄ・・第８パネル部
８０・・第２傾斜部
８０ａ・・傾斜部の頂点
８０ｂ・・折れ線
Ｌ１・・第１パネル部の長さ
Ｌ２・・側肩縁の長さ
Ｌ３・・傾斜部の長さ
Ｌ４・・第５パネル部の長さ
Ｌ５・・側底縁の長さ
Ｃ・・キャップ
Ｎ・・液滴ノズル
Ｖ・・逆止弁
【図１】
0006586354.tif 000002
【図２】
0006586354.tif 000003
【図３】
0006586354.tif 000004
【図４】
0006586354.tif 000005
【図５】
0006586354.tif 000006
【図６】
0006586354.tif 000007